(57)【要約】      （修正有）【課題】低価格で、座標読み取り誤差が小さい座標読み取り装置を提供する。【解決手段】第１区分電極５ａとこれに隣接する第１電極３ａ，３ｂとの間に第１抵抗体層２ａの区間抵抗値より小さい抵抗値の第１固定抵抗素子１５，１６を接続し、第２区分電極５ｂとこれに隣接する第２電極３ｃ，３ｄとの間に第２抵抗体層２ｂの区間抵抗値より小さい抵抗値の第２固定抵抗素子１７，１８を接続し、第１及び第２基板が押下されることで互いに接触する第１抵抗体層２ａと第２抵抗体層２ｂとの接触点Ｑにおいて、電源電圧を第１固定抵抗素子により分圧した電圧を第１抵抗体層２ａの接触点とグランド間に加えた時の第１抵抗体層２ａの接触点に生じる電位または電源電圧を分圧した電圧を第２抵抗体層２ｂの接触点とグランド間に加えた時の第２抵抗体層２ｂの接触点に生じる電位を検出し、これら検出電位を基に接触点の座標値を演算する。【選択図】図３
0003139264.tif 000002
【実用新案登録請求の範囲】
【請求項１】
一定の間隔を離して相対向するように設けられた電気絶縁製の第１及び第２基板と、
前記第１及び第２基板の相対向する面にそれぞれ形成され、所定の表面積を有する四角形状の第１及び第２抵抗体層と、
前記第１基板に互いに平行して設けられ、前記第１抵抗体層の相対向する両端辺に該辺の全長に延在して電気的に接続された一対の第１電極と、
前記一対の第１電極間に位置する前記第１抵抗体層に、前記第１電極の長手方向の全長に亘り第１抵抗体層と電気的に接続されて前記第１電極と平行に設けられ、かつ前記一対の第１電極間に位置する前記第１抵抗体層を前記第１電極の長手方向と直角な方向に等間隔に複数に区分する少なくとも１つの第１区分電極と、
前記第２基板に互いに平行して設けられ、前記第１電極と直角な方向の前記第２抵抗体層の相対向する両端辺に該辺の全長に延在して電気的に接続された一対の第２電極と、
前記一対の第２電極間に位置する前記第２抵抗体層に、前記第２電極の長手方向の全長に亘り第２抵抗体層と電気的に接続されて前記第２電極と平行に設けられ、かつ前記一対の第２電極間に位置する前記第２抵抗体層を前記第２電極の長手方向と直角な方向に等間隔に複数に区分する少なくとも１つの第２区分電極と、
前記第１区分電極と該第１区分電極に隣接する前記第１電極との間及び互いに隣接する前記第１区分電極間にそれぞれ接続された、前記第１区分電極で区分された前記第１抵抗体層の区間抵抗値より小さい抵抗値の複数の第１固定抵抗素子と、
前記第２区分電極と該第２区分電極に隣接する前記第２電極との間及び互いに隣接する前記第２区分電極間にそれぞれ接続された、前記第２区分電極で区分された前記第２抵抗体層の区間抵抗値より小さい抵抗値の複数の第２固定抵抗素子とを備え、
前記第１及び第２基板が互いに接触する前記第１抵抗体層と第２抵抗体層との接触点において、電源電圧を前記複数の第１固定抵抗素子により分圧した電圧を前記第１抵抗体層の接触点とグランド間に加えた時の前記第１抵抗体層の接触点に生じる電位または電源電圧を前記複数の第２固定抵抗素子により分圧した電圧を前記第２抵抗体層の接触点とグランド間に加えた時の前記第２抵抗体層の接触点に生じる電位をそれぞれ検出し、これら検出電位を基に前記接触点の座標を演算し座標値として処理する演算処理手段を有することを特徴とする座標読み取り装置。
【請求項２】
前記第１または第２基板への押圧時以外は前記第１抵抗体層と第２抵抗体層とが接触しないように一定の隙間を形成する多数のスペーサを前記第１及び第２抵抗体層の何れか一方の抵抗体層の全面に一定の間隔で二次元方向に配列して設け、前記第１及び第２基板の少なくとも一方が可撓性の電気絶縁材から構成されていることを特徴とする請求項１記載の座標読み取り装置。
【請求項３】
前記第１区分電極により区分された前記第１抵抗体層に対しその各区間ごとに並列接続された前記複数の第１固定抵抗素子は電源とグランドに対して直列に接続され、この第１直列回路の一端と前記第１固定抵抗素子の一端は前記第１電極を介して第１スイッチにより電源と前記演算処理手段に切り換え接続され、前記第１直列回路の他端と前記第１固定抵抗素子の他端は前記第１電極を介して第２スイッチによりグランドと開放端に切り換え接続され、前記第２区分電極により区分された前記第２抵抗体層に対しその各区間ごとに並列接続された前記複数の第２固定抵抗素子は電源とグランドに対して直列に接続され、この第２直列回路の一端と前記第２固定抵抗素子の一端は前記第２電極を介して第３スイッチにより電源と前記演算処理手段に切り換え接続され、前記第２直列回路の他端と前記第２固定抵抗素子の他端は前記第２電極を介して第４スイッチによりグランドと開放端に切り換え接続されるように構成したことを特徴とする請求項１記載の座標読み取り装置。
【考案の詳細な説明】
【技術分野】
【０００１】
本考案は、抵抗膜式の座標読み取り装置に関し、さらに詳しくは、抵抗膜層を有する基板を２枚積層してなるパネルをペンや指などで押下することにより、この押下した位置の座標を読み取ることにより、パネル上に割り当てられた位置情報を電子機器に入力する座標読み取り装置に関する。
【背景技術】
【０００２】
従来における抵抗膜座標読み取り装置は、図４および図５に示すように、互いに重ね合わされる２枚の絶縁基板２１ａと２１ｂの互いに対向される面には、カーボン等の抵抗体からなる所定表面積の抵抗膜２２ａおよび２２ｂがそれぞれ四角状に形成されており、この抵抗膜２２ａの相対向する両端辺には該辺の全長に延在して抵抗膜２２ａと電気的に接続された一対の基本電極２３ａ、２３ｂが形成されている。また、基本電極２３ａ、２３ｂの長手方向と直角な方向の抵抗膜２２ｂの相対向する両端辺には該辺の全長に延在して抵抗膜２２ｂと電気的に接続された一対の基本電極２３ｃ、２３ｄが形成されている。そして、抵抗膜２２ａおよび２２ｂは、抵抗膜２２ｂの表面にマトリクス状に配列したスペーサ２４により、一定の隙間が介在された状態で相対向するように重ね合わされる。
このような座標読み取りパネルにおいて、絶縁基板２１ａをその上面からペンや指などにより押圧すると、その押圧位置で２つの抵抗膜２２ａと２２ｂが互いに接触し、その接触位置により抵抗値が変わることで、接触位置の座標の読み取りを可能としている。
また、抵抗膜２２ａと２２ｂを内側にして絶縁基板２１ａと２１ｂを重ね合わせた時、基本電極２３ａ、２３ｂ、２３ｃ、２３ｄが短絡しないように、絶縁層２６ａ及び２６ｂが設けられる。
【０００３】
このような座標読み取りパネルを用いた座標読み取り装置の等価回路は、図６に示すようになる。この図６において、Ｑはタッチペン２７などで座標読み取りパネルを押下したとき、上と下の抵抗膜２２ａと２２ｂが接触する点である。また、４個のスイッチ２８、２９、３０、３１はＣＰＵ３４により制御されるもので、Ｘ方向（水平方向）の座標値を検出する場合は、図６に示すように、基本電極２３ｂがスイッチ２９により開放端に切り換え接続され、基本電極２３ａがスイッチ２８によりＸ座標用のＡ／Ｄ変換器３２に切り換え接続される。そして、基本電極２３ｄがスイッチ３１によりグランドに切り換え接続され、基本電極２３ｃがスイッチ３０により電源、例えば＋５Ｖに切り換え接続される。
また、Ｙ方向（垂直方向）の座標値を検出する場合は、基本電極２３ｂがスイッチ２９によりグランドに切り換え接続され、基本電極２３ａがスイッチ２８により電源、例えば＋５Ｖに切り換え接続され、基本電極２３ｄがスイッチ３１により開放端に切り換え接続され、基本電極２３ｃがスイッチ３０によりＹ座標用のＡ／Ｄ変換器３３に切り換え接続される。また、Ａ／Ｄ変換器３２、３３は、電位で検出されたアナログ量をデジタル量に変換するもので、このデジタル信号はＣＰＵ３４に取り込まれ、ここで演算処理することにより、座標値を読み取ることができる。
【０００４】
このような座標読み取り装置は、座標値読み取り誤差の原因として、抵抗膜を印刷などで形成するため、抵抗膜の厚みが不均一になり、抵抗値にばらつきが生じることがある。抵抗膜の抵抗値の初期ばらつき、および抵抗膜の抵抗値の経年変化を解決する方法としては、キャリブレーションによる方法が提供されている（特許文献１参照）。
【特許文献１】特開平５−８０９２２号公報
【考案の開示】
【考案が解決しようとする課題】
【０００５】
しかしながら、上記従来の座標読み取り装置に示されるように、抵抗膜の抵抗値の初期ばらつきをキャリブレーションする方式では、そのキャリブレーションを製品１個ごとに行う必要があり、その結果、製品の製造に要する時間が増大し、コスト高になってしまう問題がある。また、キャリブレーションで得られたデータを保存するための不揮発性メモリ部品が必要であり、製品のコストをさらに上昇させてしまう。また、経年変化については、製品を購入した利用者が、定期的にキャリブレーションを行う必要があり、利用者にとっては不便で実用性に劣るという問題がある。
本考案は、上記のような従来技術の問題を解決し、低価格で、座標読み取り誤差が小さい座標読み取り装置を提供することを目的とする。
【課題を解決するための手段】
【０００６】
上記目的を達成するために本考案の座標読み取り装置は、一定の間隔を離して相対向するように設けられた電気絶縁製の第１及び第２基板と、前記第１及び第２基板の相対向する面にそれぞれ形成され、所定の表面積を有する四角形状の第１及び第２抵抗体層と、前記第１基板に互いに平行して設けられ、前記第１抵抗体層の相対向する両端辺に該辺の全長に延在して電気的に接続された一対の第１電極と、前記一対の第１電極間に位置する前記第１抵抗体層に、前記第１電極の長手方向の全長に亘り第１抵抗体層と電気的に接続されて前記第１電極と平行に設けられ、かつ前記一対の第１電極間に位置する前記第１抵抗体層を前記第１電極の長手方向と直角な方向に等間隔に複数に区分する少なくとも１つの第１区分電極と、前記第２基板に互いに平行して設けられ、前記第１電極と直角な方向の前記第２抵抗体層の相対向する両端辺に該辺の全長に延在して電気的に接続された一対の第２電極と、前記一対の第２電極間に位置する前記第２抵抗体層に、前記第２電極の長手方向の全長に亘り第２抵抗体層と電気的に接続されて前記第２電極と平行に設けられ、かつ前記一対の第２電極間に位置する前記第２抵抗体層を前記第２電極の長手方向と直角な方向に等間隔に複数に区分する少なくとも１つの第２区分電極と、前記第１区分電極と該第１区分電極に隣接する前記第１電極との間及び互いに隣接する前記第１区分電極間にそれぞれ接続された、前記第１区分電極で区分された前記第１抵抗体層の区間抵抗値より小さい抵抗値の複数の第１固定抵抗素子と、前記第２区分電極と該第２区分電極に隣接する前記第２電極との間及び互いに隣接する前記第２区分電極間にそれぞれ接続された、前記第２区分電極で区分された前記第２抵抗体層の区間抵抗値より小さい抵抗値の複数の第２固定抵抗素子とを備え、前記第１及び第２基板が互いに接触する前記第１抵抗体層と第２抵抗体層との接触点において、電源電圧を前記複数の第１固定抵抗素子により分圧した電圧を前記第１抵抗体層の接触点とグランド間に加えた時の前記第１抵抗体層の接触点に生じる電位または電源電圧を前記複数の第２固定抵抗素子により分圧した電圧を前記第２抵抗体層の接触点とグランド間に加えた時の前記第２抵抗体層の接触点に生じる電位をそれぞれ検出し、これら検出電位を基に前記接触点の座標を演算し座標値として処理する演算処理手段を有することを特徴とする。
【０００７】
請求項２の発明は、請求項１記載の座標読み取り装置において、前記第１または第２基板への押圧時以外は前記第１抵抗体層と第２抵抗体層とが接触しないように一定の隙間を形成する多数のスペーサを前記第１及び第２抵抗体層の何れか一方の抵抗体層の全面に一定の間隔で二次元方向に配列して設け、前記第１及び第２基板の少なくとも一方が可撓性の電気絶縁材から構成されていることを特徴とする。
請求項３の発明は、請求項１記載の座標読み取り装置において、前記第１区分電極により区分された前記第１抵抗体層に対しその各区間ごとに並列接続された前記複数の第１固定抵抗素子は電源とグランドに対して直列に接続され、この第１直列回路の一端と前記第１固定抵抗素子の一端は前記第１電極を介して第１スイッチにより電源と前記演算処理手段に切り換え接続され、前記第１直列回路の他端と前記第１固定抵抗素子の他端は前記第１電極を介して第２スイッチによりグランドと開放端に切り換え接続され、前記第２区分電極により区分された前記第２抵抗体層に対しその各区間ごとに並列接続された前記複数の第２固定抵抗素子は電源とグランドに対して直列に接続され、この第２直列回路の一端と前記第２固定抵抗素子の一端は前記第２電極を介して第３スイッチにより電源と前記演算処理手段に切り換え接続され、前記第２直列回路の他端と前記第２固定抵抗素子の他端は前記第２電極を介して第４スイッチによりグランドと開放端に切り換え接続されるように構成したことを特徴とする。
【考案の効果】
【０００８】
本考案の座標読み取り装置によれば、第１区分電極とこれに隣接する第１電極との間及び互いに隣接する第１区分電極間に第１抵抗体層の区間抵抗値より小さい抵抗値の第１固定抵抗素子をそれぞれ接続し、さらに、第２区分電極とこれに隣接する第２電極との間及び互いに隣接する第２区分電極間に第２抵抗体層の区間抵抗値より小さい抵抗値の第２固定抵抗素子をそれぞれ接続し、第１及び第２基板が押下されることで互いに接触する第１抵抗体層と第２抵抗体層との接触点において、電源電圧を複数の第１固定抵抗素子により分圧した電圧を第１抵抗体層の接触点とグランド間に加えた時の第１抵抗体層の接触点に生じる電位または電源電圧を複数の第２固定抵抗素子により分圧した電圧を第２抵抗体層の接触点とグランド間に加えた時の第２抵抗体層の接触点に生じる電位をそれぞれ検出し、これら検出電位を基に接触点の座標を演算処理手段により演算し座標値として処理するようにしたので、第１及び第２固定抵抗素子の抵抗値を第１及び第２抵抗体層の抵抗値よりも十分に小さい値にできる。また、第１及び第２固定抵抗素子の抵抗値の許容差を十分に小さくすることにより、例えば許容差1％以内の固定抵抗素子を用いることで、区分電極とこれに隣接する電極との間及び互いに隣接する区分電極間に位置するそれぞれの抵抗体層の区間には、他の区間の抵抗体層の抵抗値の影響をほとんど受けずに、電源電圧を固定抵抗素子で分圧した電圧が加わることになり、その結果、この区間内の座標読み取り誤差を一定の範囲内に抑えることができるとともに、固定抵抗素子の抵抗値の経年変化は非常に小さいので、上記の効果を持続できる。そして、区分電極とこれに隣接する電極との間及び互いに隣接する区分電極間に位置する区間の抵抗体層の座標値は、その区間の抵抗体層の抵抗値で決定されることになり、抵抗体層の抵抗値が全体としては大きなばらつきを有していても、区分電極とこれに隣接する電極との間及び互いに隣接する区分電極間に位置する区間内固定抵抗素子の抵抗値が小さく、この抵抗値のばらつきが小さければ座標値の読み取り誤差も小さくできる。さらに、印刷などで抵抗体層を形成する場合、抵抗体層を区分電極により分割して座標の電位検出に機能する区間が短ければ、印刷厚みの不均一などに起因する抵抗値のばらつきは小さくなり、全体としての座標読み取り誤差が低減されることになる。
よって、抵抗体層の抵抗値にばらつきが生じていたとしても、座標読み取り誤差を小さくすることができ、キャリブレーションを行わなくても、高精度の座標読み取りが可能になる。
【考案を実施するための最良の形態】
【０００９】
以下、本考案にかかる抵抗膜式座標読み取り装置の実施の形態について、図１〜図３を参照して説明する。本考案にかかる抵抗膜式座標読み取り装置は、以下の実施例に限定されるものではない。
図１は本考案にかかる抵抗膜式座標読み取り装置を構成する座標読み取りシートの説明用斜視図、図２は図１示す座標読み取りシートの説明用断面図、図３は本考案にかかる抵抗膜式座標読み取り装置の全体の構成を示す等価回路図である。
図１及び図２において、座標読み取り装置は一対の抵抗膜座標読み取りシートＡａ，Ａｂを備える。この抵抗膜座標読み取りシートＡａ，Ａｂは、ポリエチレンテレフタレート（ＰＥＴ）等の電気絶縁性の材料からなる基板１ａ及び１ｂ（特許請求の範囲に記載の第１及び第２基板に相当する）を備える。
【００１０】
基板１ａは、図１及び図２に示すように、基板１ｂと相対向する面に形成された、カーボンなどからなる所定の表面積を有する四角形状の第１抵抗体層２ａを有する。また、この基板１ａには、第１抵抗体層２ａの相対向する両端辺に該辺の全長に延在して電気的に接続された、銀等の低抵抗金属材からなる一対の第１電極３ａ，３ｂが互いに平行して設けられている。さらに、上記一対の第１電極３ａと３ｂの中間に位置する第１抵抗体層２ａ上には、第１電極３ａ，３ｂの長手方向の全長に亘り第１抵抗体層２ａと電気的に接続された、銀等の低抵抗金属材からなる１つの第１区分電極５ａが第１電極３ａ，３ｂと平行に設けられており、この第１区分電極５ａは、第１電極３ａ，３ｂ間に位置する第１抵抗体層２ａを第１電極３ａ，３ｂの長手方向と直角な方向に等間隔に２つの区間に区分している。また、１９ａは第１電極３ａ，３ｂ及び第１区分電極５ａを後述する固定抵抗素子や演算処理回路などに接続するために基板１ａに設けたリード配線である。
【００１１】
基板１ｂは、図１及び図２に示すように、基板１ａと相対向する面に形成された、カーボンなどからなる所定の表面積を有する四角形状の第２抵抗体層２ｂを有する。また、この基板１ｂには、第２抵抗体層２ｂの相対向する両端辺に該辺の全長に延在して電気的に接続された、銀等の低抵抗金属材からなる一対の第２電極３ｃ，３ｄが互いに平行して設けられている。さらに、上記一対の第２電極３ｃと３ｄの中間に位置する第２抵抗体層２ｂ上には、第２電極３ｃ，３ｄの長手方向の全長に亘り第２抵抗体層２ｂと電気的に接続された、銀等の低抵抗金属材からなる１つの第２区分電極５ｂが第２電極３ｃ，３ｄと平行に設けられており、この第２区分電極５ｂは、第２電極３ｃ，３ｄ間に位置する第２抵抗体層２ｂを第２電極３ｃ，３ｄの長手方向と直角な方向に等間隔に２つの区間に区分している。
また、第２抵抗体層２ｂの表面には、基板１ａまたは基板１ｂへの押圧時以外は第１抵抗体層２ａと第２抵抗体層２ｂとが接触しないように一定の隙間を形成する多数のスペーサ４が一定の間隔で二次元方向に配列して設けられている。この時のスペーサ４の高さは０．３ｍｍ、その直径は０．３ｍｍであり、また、スペーサ４の配列間隔は３ｍｍ程度である。
また、第１抵抗体層２ａと第２抵抗体層２ｂを内側にして基板１ａと１ｂを重ね合わせた時、第１電極３ａ，３ｂと第２電極３ｃ，３ｄ及び第１区分電極５ａと第２区分電極５ｂが互いに短絡されないように、絶縁層６ａ、６ｂが設けられる。また、１９ｂは第２電極３ｃ，３ｄ及び第２区分電極５ｂを後述する固定抵抗素子や演算処理回路などに接続するために基板１ｂに設けたリード配線である。
【００１２】
次に、図３に示す等化回路の構成について説明する。
図３において、第１区分電極５ａとこれに隣接する第１電極３ａ，３ｂとの間には、第１区分電極５ａで区分された第１抵抗体層２ａの区間抵抗値より十分に小さい抵抗値の第１固定抵抗素子１５，１６がそれぞれ第１区分電極５ａで区分された第１抵抗体層２ａの区間ごとに、これら区間と並列になるように接続されている。ここで、第１固定抵抗素子１５，１６の抵抗値は、例えば、第１抵抗体層２ａの第１電極３ａ，３ｂ間における抵抗値が１００kΩの場合、５００Ωに設定されている。
そして、第１区分電極５ａにより区分された第１抵抗体層２ａに対しその各区間ごとに並列接続された第１固定抵抗素子１５，１６は＋VDD電源とグランドＧＮＤに対して直列に接続され、この第１直列回路の一端と第１抵抗体層２ａの一端は第１スイッチ８により＋VDD電源とＸ座標用のＡ／Ｄ変換器１２に切り換え接続されている。また、上記第１直列回路の他端と第１抵抗体層２ａの他端は第２スイッチ９によりグランドＧＮＤと開放端に切り換え接続される構成になっている。
上記Ｘ座標用のＡ／Ｄ変換器１２は、電位で検出されたアナログ量をデジタル量に変換するもので、このデジタル信号はＣＰＵ１４に取り込まれ、ここで演算処理することにより、座標値を算出するようになっている。そして、第１及び第２スイッチ８，９はＣＰＵ１４からの制御信号により切り換え制御される。
【００１３】
同様にして、第２区分電極５ｂとこれに隣接する第２電極３ｃ，３ｄとの間には、第２区分電極５ｂで区分された第２抵抗体層２ｂの区間抵抗値より十分に小さい抵抗値の第２固定抵抗素子１７，１８がそれぞれ第２区分電極５ｂで区分された第２抵抗体層２ｂの区間ごとに、これら区間と並列になるように接続されている。ここで、第２固定抵抗素子１７，１８の抵抗値は、例えば、第２抵抗体層２ｂの第２電極３ｃ，３ｄ間における抵抗値が１００kΩの場合、５００Ωに設定されている。
そして、第２区分電極５ｂにより区分された第２抵抗体層２ｂに対しその各区間ごとに並列接続された第２固定抵抗素子１７，１８は＋VDD電源とグランドＧＮＤに対して直列に接続され、この第２直列回路の一端と第２固定抵抗素子２ａの一端は第２電極３ｃを介して第３スイッチ１０により＋VDD電源とＹ座標用のＡ／Ｄ変換器１３に切り換え接続されている。また、上記第２直列回路の他端と第２固定抵抗素子５ｂの他端は第２電極３ｄを介して第４スイッチ１１によりグランドＧＮＤと開放端に切り換え接続される構成になっている。
上記Ｙ座標用のＡ／Ｄ変換器１３は、電位で検出されたアナログ量をデジタル量に変換するもので、このデジタル信号はＣＰＵ１４に取り込まれ、ここで演算処理することにより、座標値を算出するようになっている。そして、第３及び第４スイッチ１０，１１はＣＰＵ１４からの制御信号により切り換え制御される。
【００１４】
次に、本実施の形態における座標読み取り装置の動作について説明する。
図３において、Ｑはタッチペン７などで座標読み取りパネルＡａを押下したとき、上と下の抵抗体層２ａと２ｂが接触する点である。また、４個のスイッチ８、９、１０、１１はＣＰＵ１４により制御されるもので、Ｘ方向（水平方向）の座標値を検出する場合は、図３に示すように、一方の第１電極３ｂが第２スイッチ９により開放端に切り換え接続され、他方の第１電極３ａが第１スイッチ８によりＸ座標用のＡ／Ｄ変換器１２に切り換え接続される。そして、一方の第２電極３ｄが第４スイッチ１１によりグランドＧＮＤに切り換え接続され、他方の第２電極３ｃが第３スイッチ１０により＋VDD電源、例えば＋５Ｖに切り換え接続される。
また、Ｙ方向（垂直方向）の座標値を検出する場合は、一方の第１電極３ｂが第２スイッチ９によりグランドＧＮＤに切り換え接続され、他方の第１電極３ａが第１スイッチ８により＋VDD電源、例えば＋５Ｖに切り換え接続され、一方の第２電極３ｄが第４スイッチ１１により開放端に切り換え接続され、他方の第２電極３ｃが第３スイッチ１０によりＹ座標用のＡ／Ｄ変換器１３に切り換え接続される。また、接触点Ｑにおける第１抵抗体層２ａ及び２ｂで検出される電位はＡ／Ｄ変換器１２、１３によりデジタル信号に変換され、このデジタル信号をＣＰＵ１４に取り込むことによりＸ及びＹ座標に演算処理され、座標値として読み取られる。
【００１５】
ここで、第１電極３ａ、３ｂと第１区分電極５ａとの間に接続された第１固定抵抗素子１５，１６及び第２電極３ｃ、３ｄと第２区分電極５ｂとの間に接続された第２固定抵抗素子１７，１８の抵抗値は、第１及び第２抵抗体層２ａ，２ｂの抵抗値に対して十分に小さく、かつ許容差も非常に小さいため、第１電極３ａ、３ｂと第１区分電極５ａで挟まれた第１抵抗体層２ａの区間、及び第２電極３ｃ、３ｄと第２区分電極５ｂで挟まれた第２抵抗体層２ｂの区間では、第１及び第２抵抗体層２ａ，２ｂの他の区間の抵抗値の影響をほとんど受けずに、第１固定抵抗素子１５，１６または第２固定抵抗素子１７，１８により電源電圧VDDを分圧した電圧が加わるため、抵抗膜２ａおよび２ｂのそれぞれの区間内での座標値の読み取り誤差は、第１及び第２抵抗体層２ａ、２ｂの抵抗値にばらつきが生じていたとしても、一定の範囲内に抑えることができる。
【００１６】
そして、第１電極３ａ、３ｂと第１区分電極５ａで挟まれた第１抵抗体層２ａの区間、及び第２電極３ｃ、３ｄと第２区分電極５ｂで挟まれた区間の読み取り座標は、第１及び第２抵抗体層２ａ、２ｂの上記区間の抵抗値で決定されることになるため、第１及び第２抵抗体層２ａ、２ｂが全体として大きな抵抗値のばらつきを有していても、第１電極３ａ、３ｂと第１区分電極５ａで挟まれた第１抵抗体層２ａの区間、及び第２電極３ｃ、３ｄと第２区分電極５ｂで挟まれた区間内での抵抗値のばらつきが小さければ、座標値の読み取り誤差も小さくできる。さらに、印刷などで第１及び第２抵抗体層２ａ、２ｂを形成する場合、第１及び第２抵抗体層２ａ、２ｂを第１及び第２区分電極５ａ、５ｂにより分割して座標の電位検出に機能する区間を短くすることにより、印刷厚みの不均一などに起因する抵抗値のばらつきは小さくなり、全体としての座標読み取り誤差が低減されることになる。
このため、第１及び第２抵抗体層２ａ、２ｂの抵抗値にばらつきが生じていたとしても、座標読み取り誤差を小さくすることができ、キャリブレーションを行わなくても、高精度の座標読み取りが可能になる。
【図面の簡単な説明】
【００１７】
【図１】本考案にかかる抵抗膜式座標読み取り装置を構成する座標読み取りシートの説明用斜視図である。
【図２】図１示す座標読み取りシートの説明用断面図である。
【図３】本考案にかかる抵抗膜式座標読み取り装置の全体の構成を示す等価回路図である。
【図４】従来における抵抗膜式座標読み取り装置を構成する座標読み取りシートの説明用斜視図である。
【図５】図４示す座標読み取りシートの説明用断面図である。
【図６】従来における抵抗膜式座標読み取り装置の全体の構成を示す等価回路図である。
【符号の説明】
【００１８】
Ａａ，Ａｂ  座標読み取りシート
１ａ    基板（Ｙ方向側）
１ｂ    基板（Ｘ方向側）
２ａ    第１抵抗体層（Ｙ方向側）
２ｂ    第２抵抗体層（Ｘ方向側）
３ａ，３ｂ    第１電極
３ｃ，３ｄ    第２電極
４      スペーサ
５ａ    第１区分電極（Ｙ方向側）
５ｂ    第２区分電極（Ｘ方向側）
６ａ，６ｂ，６ｃ  絶縁層
７      ペン
８      第１スイッチ
９      第２スイッチ
１０    第３スイッチ
１１    第４スイッチ
１２    Ａ／Ｄ変換器（Ｘ方向側）
１３    Ａ／Ｄ変換器（Ｙ方向側）
１４    ＣＰＵ
１５，１６  第１固定抵抗素子
１７，１８  第２固定抵抗素子
【図１】
0003139264.tif 000003
【図２】
0003139264.tif 000004
【図３】
0003139264.tif 000005
【図４】
0003139264.tif 000006
【図５】
0003139264.tif 000007
【図６】
0003139264.tif 000008